(57)【要約】【課題】飲み口を開放した後、前記飲み口をふたで封止することができ、飲み物がこぼれない、また、異物が混入しない、従来のアルミ缶よりも衛生的に優れたふた付きアルミ缶、およびふた付きアルミ缶の水漏防止方法を得る。【解決手段】タブ１の下部に、タブ連動式ふた２が折り変えされて保持され、前記タブ１が、アルミ缶の中央部分に固定され、飲み口の周辺が、凸状の領域３にて囲まれ、前記タブ連動式ふた２には、前記凸状の領域３と対応した、凹状の領域４が形成されたふた付きアルミ缶とする。【選択図】図１
2011037449.tif 000002
【特許請求の範囲】
【請求項１】
タブの下部に、タブ連動式ふたが折り変えされて保持され、前記タブが、アルミ缶の中央部分に固定され、飲み口の周辺が、凸状の領域にて囲まれ、前記タブ連動式ふたには、前記凸状の領域と対応した、凹状の領域が形成されたことを特徴とするふた付きアルミ缶。
【請求項２】
前記タブ連動式ふたは、扇状であって、前記タブ連動式ふたの移動防止用の段差が、アルミ缶の上面に、設けられていることを特徴とする請求項１記載のふた付きアルミ缶。
【請求項３】
前記タブ連動式ふたの凹状の領域は、前記飲み口の周辺の凸状の領域に嵌め合わされて、前記飲み口を封止することを特徴とする請求項１または２のいずれか記載のふた付きアルミ缶。
【請求項４】
前記タブ連動式ふたの裏面には、水漏防止用のコーティング処理が施されていることを特徴とする請求項１乃至３のいずれか１項記載のふた付きアルミ缶。
【請求項５】
タブの下部に、タブ連動式ふたを折り変えして保持し、前記タブを、アルミ缶の中央部分に固定し、飲み口の周辺が、凸状の領域にて囲まれ、前記タブ連動式ふたには、前記凸状の領域と対応した、凹状の領域を形成し、タブを押し上げて、飲み口を開けた後、前記タブとタブ連動式ふたを１８０度回転させ、前記タブ連動式ふたの凹状領域を、前記飲み口の周辺の凸状の領域に嵌め合わされて、前記飲み口を封止することを特徴とするふた付きアルミ缶の水漏防止方法。
【請求項６】
前記タブ連動式ふたは、扇状であって、前記ふたの移動防止用の段差が、アルミ缶の上面に、設けられていることを特徴とする請求項５記載のふた付きアルミ缶の水漏防止方法。
【発明の詳細な説明】
【技術分野】
【０００１】
本発明は、タブによって飲み口を開放した後、その飲み口をふたで封止することができる、ふた付きアルミ缶、およびふた付きアルミ缶の水漏防止方法に関する。
【背景技術】
【０００２】
従来のアルミ缶には、タブが設けられており、前記タブを押し上げることにより、飲み口部分が切り取られて、飲み口が開けられる。
ここで、開放された飲み口をふたする構造については、以下の特許文献が公開されているが、タブとは直接連動していない構造となっている。
【先行技術文献】
【特許文献】
【０００３】
【特許文献１】特表2007−532423号公報
【特許文献２】実用新案登録  2555441号公報
【発明の概要】
【発明が解決しようとする課題】
【０００４】
従来のアルミ缶には、以下の問題点があった。従来、アルミ缶のタブを押し上げて、飲み口を開けた後、前記飲み口は、開放状態となり、その後は、その状態である。このため、アルミ缶が倒れた場合、飲み物がこぼれる問題があり、更に、アルミ缶をそのまま放置した場合、外部から異物が飲み口から進入し、飲み物に異物が混入する等の衛生上問題があった。
【０００５】
本発明の課題は、飲み口を開放した後、そののみ口をふたで封止することができ、飲み物がこぼれない、また、異物が混入しない、従来のアルミ缶よりも衛生的に優れたふた付きアルミ缶、およびふた付きアルミ缶の水漏防止方法を提供することである。
【課題を解決するための手段】
【０００６】
上記の課題を解決するために、本発明のふた付きアルミ缶は、タブの下部に、タブ連動式ふたが折り変えされて保持され、前記タブが、アルミ缶の中央部分に固定され、飲み口の周辺が、凸状の領域にて囲まれ、前記タブ連動式ふたには、前記凸状の領域と対応した、凹状の領域が形成されたことを特徴とするふた付きアルミ缶とする。
【０００７】
ここで、前記タブ連動式ふたは、扇状であって、前記タブ連動式ふたの移動防止用の段差が、アルミ缶の上面に、設けられていることを特徴とするふた付きアルミ缶である。
【０００８】
また、前記タブ連動式ふたの凹状の領域は、前記飲み口の周辺の凸状の領域に嵌め合わされて、前記飲み口を封止することを特徴とするふた付きアルミ缶である。
【０００９】
更に、前記タブ連動式ふたの裏面には、水漏防止用のコーティング処理が施されていることを特徴とするふた付きアルミ缶である。
【００１０】
また、本発明は、タブの下部に、タブ連動式ふたを折り変えして保持し、前記タブを、アルミ缶の中央部分に固定し、飲み口の周辺が、凸状の領域にて囲まれ、前記タブ連動式ふたには、前記凸状の領域と対応した、凹状の領域を形成し、タブを押し上げて、飲み口を開けた後、前記タブとタブ連動式ふたを１８０度回転させ、前記タブ連動式ふたの凹状領域を、前記飲み口の周辺の凸状の領域に嵌め合わされて、前記飲み口を封止することを特徴とするふた付きアルミ缶の水漏防止方法である。
【００１１】
ここで、連動式ふたは、扇状であって、前記ふたの移動防止用の段差が、アルミ缶の上面に、設けられていることを特徴とするふた付きアルミ缶の水漏防止方法である。
【発明の効果】
【００１２】
本発明によれば、タブを押し上げて開放した飲み口を、タブ連動式ふたで封止することができ、アルミ缶の中の飲み物がこぼれない、異物が混入しない、従来のアルミ缶よりも衛生的に優れたふた付きアルミ缶、およびふた付きアルミ缶の水漏防止方法を提供することができる。
【００１３】
請求項１に係るふた付きアルミ缶によれば、タブとタブ連動式ふたとの簡単な構造にて、
飲み口を封止することができるふた付きアルミ缶を提供できる。
【００１４】
請求項３と４による係るふた付きアルミ缶によれば、タブ連動式ふたで、開放された飲み口を確実に封止できるふた付きアルミ缶を提供できる。
【００１５】
請求項５に係るふた付きアルミ缶の水漏防止方法によれば、タブとタブ連動式ふたとの簡単な構造であって、タブとタブ連動式ふたとを１８０度回転させて、タブ連動式ふたを
口を封止できるふた付きアルミ缶の水漏防止方法を提供できる。
【図面の簡単な説明】
【００１６】
【図１】本発明の実施の形態１よるふた付きアルミ缶の上面図である。図１（ａ）は、上面図であり、図１（ｂ）は、ＡＡ断面図であり、図１（ｃ）は、ＢＢ断面図である。
【図２】タブとタブ連動型ふたに関し、打ち抜き、折りたたみの工程の説明図である。図２（ａ）は、タブとタブ連動型ふたの一体打ち抜き後の平面図であり、図２（ｂ）は、タブ連動型ふたを折り曲げた状態の平面図であり、図２（ｃ）は、ＣＣ断面図である。
【図３】図１のふた付きアルミ缶につき、タブを押し上げて、飲み口を開放した後、タブと、タブ連動型ふたを回転させて、開放した飲み口を封止した状態の平面図である。図３（ａ）は、上面図であり、図３（ｂ）は、ＤＤ断面図である。
【発明を実施するための形態】
【００１７】
図１は、本発明の実施の形態よるふた付きアルミ缶の上面図である。
図１（ａ）は、上面図であり、図１（ｂ）は、図１（ａ）のＡＡ断面図であり、図１（ｃ）は、図１（ａ）のＢＢ断面図である。
図１（ａ）において、ふた付きアルミ缶１０の上面には、タブ１が、タブ止めピン８にて、上面の
ほぼ中央部分に固定されており、タブ１には、タブ連動式ふた２が折り変えされて保持されている。
ここで、タブ連動式ふた２は、扇型の形状をしている。
アルミ缶の上面には、この扇型の形状のタブ連動式ふた２の回転防止用として段差７が４本設けられている。この内、図１でのタブ連動式ふた２の両側の２本の段差は、飲み口を開放する前のタブ連動式ふた２の回転防止用であり、他の２本の段差は、タブ連動式ふた２を１８０度回転した後の、回転防止用である。
なお、タブ連動式ふた２には、ふたの折込み部分２２，２３が設けられ、ふた浮き防止用の溝
２０内に配置されている。
【００１８】
図１の上面中、点線で表示された個所は、開放前の飲み口５である。
開放前の飲み口５の周囲には、飲み口５を囲むような配置にて、凸状領域３が形成されている。
また、タブ連動式ふた２には、前記凸状領域３と嵌め合いができるような形状に設定された凹状領域４が設けられている。
【００１９】
図２は、タブ１とタブ連動型ふた２に関し、打ち抜き、折りたたみの工程の説明図である。図２（ａ）は、タブ１とタブ連動型ふた２の一体打ち抜き後の平面図であり、図２（ｂ）は、タブ連動型ふた２を折り曲げた状態の平面図であり、図２（ｃ）は、ＣＣ断面図である。このように、タブ連動型ふた２を折り曲げた状態にて、タブ１を中空穴８１を介してタブ止めピン８にて、上面の中央部分に固定する。
ここで、タブ１の爪９は、タブ１の平面部分に対して、段差を有した形状であり、この爪９によって、折り返した後のタブ連動型ふた２と、タブ１との間にあそびが出来、これによって、タブ１とタブ連動型ふた２とが回転方向に移動する際、なめらかに移動可能である。
【００２０】
図３は、図１のふた付きアルミ缶につき、タブを押し上げて、飲み口を開放した後、タブと、タブ連動型ふたを回転させて、開放した飲み口を封止した状態の平面図である。
図３（ａ）は、上面図であり、図３（ｂ）は、図３（ａ）のＣＣ断面図である。
タブ連動式ふた２の凹状の領域４が、
開放後の飲み口の周辺の凸状の領域３に嵌め合わされて、前記飲み口を封止
している。
ここで、凸状の領域３と、凹状の領域４の嵌め合い寸法を調整することにより、嵌め合わされた後、タブ連動式ふた２が固定することができる。
【００２１】
更に、前記タブ連動式ふた２の凹状の領域４の裏面に、水漏防止用のコーティング処理
を施せば、さらに、気密性が向上する。衛生上の意味でなお、好ましい。
【００２２】
また、タブ１を滑らかに回転可能とするために、アルミ缶の表面をコーティング処理する、
あるいは、タブ止めピン８と、タブ１の中空穴８１との間にあそびを設ける、あるいは
両面をコーティング処理した極薄のリングを、タブ止めピン８にセットするなどの手段を適宜選択することができる。
【符号の説明】
【００２３】
１０    ふた付きアルミ缶
１      タブ
２    タブ連動式ふた
２１    折りたたみ前のタブ連動式ふた
３    凸状領域
４    凹状領域
５    開放前の飲み口
６    開放後の飲み口
７    段差（タブ連動式ふたの回転防止用）
８    タブ止めピン
８１  中空穴
９    爪
２０  ふた浮き防止用の溝
２２，２３    ふたの折込み部分
３０  折り返しライン
【図１】
2011037449.tif 000003
【図２】
2011037449.tif 000004
【図３】
2011037449.tif 000005